(57)【要約】【課題】小型ディスクカートリッジのハウジングを、組立て性および分解性に優れ、かつ組立て環境を汚染したりデータの読み書きに悪影響を与えたりする虞れがない構造とする。【解決手段】ハウジング１１を、合成樹脂で形成されたフレーム部１２と、このフレーム部１２にそれぞれの基端をヒンジ結合された態様でフレーム部１２と一体に合成樹脂で形成された上下シェル部１３，１４とによって構成する。【選択図】　　　　　図２
2004139629.tif 000002
【特許請求の範囲】
【請求項１】
記録媒体としてのディスクを回転自在に収容するハウジングに、ドライブ装置が備えている記録再生ヘッドを前記ディスクの表面にアクセスさせるための開口と、該開口を開閉するシャッタとが設けられてなるディスクカートリッジにおいて、
前記ハウジングが、合成樹脂で形成されたフレーム部と、該フレーム部にそれぞれの基端をヒンジ結合された態様で該フレーム部と一体に合成樹脂で形成された上下シェル部とからなることを特徴とするディスクカートリッジ。
【請求項２】
前記シャッタが、前記上下シェル部に回転可能に軸支されて前記ディスクを覆う金属製ロータリーシャッタからなることを特徴とする請求項２記載のディスクカートリッジ。
【発明の詳細な説明】
【０００１】
【発明の属する技術分野】
本発明は、記録媒体としてのディスクを回転自在に収容するハウジングを備えた小型ディスクカートリッジに関し、特にそのハウジング構造に関するものである。
【０００２】
【従来の技術】
従来、デジタルカメラ等のモバイル機器においては、記録媒体として例えば図４に示すような「ｃｌｉｋ！（登録商標）」と呼ばれる超小型の磁気ディスクカートリッジが使用されている。この磁気ディスクカートリッジ１は、幅５０ｍｍ、奥行き５５ｍｍ、厚さ１．９５ｍｍという寸法を有し、樹脂製のフレーム２と、金属板材（厚さ０．２ｍｍのステンレス鋼板）からなる上下シェル３，４とによって構成されたハウジング内に、４０ＭＢの記憶容量を有する直径１．８インチ（４５．７ｍｍ）の磁気ディスクを回転自在に収容するとともに、上下シェル３，４は、このカートリッジ１が装填されるドライブ装置が備えている磁気ヘッドを磁気ディスクの表面にアクセスさせるための開口６を備えるともに、この開口６を開閉するための金属板材（厚さ０．２ｍｍのステンレス鋼板）からなるロータリーシャッタ７を回転可能に軸支している。また、上下シェル３，４は、互いに縁部をつき合わせて１０箇所以上の部位Ｐでレーザー溶接されて組み立てられている。
【０００３】
【発明が解決しようとする課題】
しかしながら、上述のような溶接による金属製上下シェル３，４の組立て構造は、下記の点で問題があった。すなわち、
（１）　　上下シェル３，４の溶接時にべーパーやスパッタ屑が発生し、この微細な屑が記録媒体上に付着して、データの読み書きに悪影響を及ぼす。また、組立て作業環境が汚染される。
（２）　組立て時に、フレーム２と上下シェル３，４とをずれのないように精密に位置決めして仮組みする必要があり、組込み適性が悪い。
（３）　リサイクルまたは分別廃棄のための分解時に、互いに溶接された上下シェル３，４を分解するのは非常に困難である。
【０００４】
そこで従来は、溶接条件を最適化して、スパッタ屑の低減、強制排気、組込み工程の安定化を実施して対応しているが、根本的な問題解決には至らなかった。
【０００５】
本発明は、上述した問題点を全て解決したハウジング構造を提供することを目的とするものである。
【０００６】
【課題を解決するための手段】
本発明は、記録媒体としてのディスクを回転自在に収容するハウジングに、ドライブ装置が備えている記録再生ヘッドをディスク表面にアクセスさせるための開口と、この開口を開閉するシャッタとを備えてなるディスクカートリッジにおいて、
上記ハウジングが、合成樹脂で形成されたフレーム部と、このフレーム部にそれぞれの基端をヒンジ結合された態様で上記フレーム部と一体に合成樹脂で形成された上下シェル部とからなることを特徴とするものである。
【０００７】
上記合成樹脂の材質は、ポリプロピレン樹脂が最も好ましいが、柔軟性を有するポリエチレン樹脂でも可能である。そして、上下シェル部は、例えば超音波溶着により結合することができる。
【０００８】
その場合に、上下シェル部に回転可能に軸支されてディスクを取り囲むロータリーシャッタは、強度確保のため金属製であることが好ましい。
【０００９】
【発明の効果】
本発明によれば、ディスクカートリッジのハウジングが、合成樹脂で形成されたフレーム部と、このフレーム部にそれぞれの一端をヒンジ結合された態様で上記フレーム部と一体に合成樹脂で形成された上下シェル部とから構成されていることにより、従来のこの種のディスクカートリッジの組立てに必要とされた溶接工程を省略することができる。したがって、溶接作業に伴うスパッタ屑等が発生しないので、ディスクカートリッジの品質向上と、組立て作業環境のクリーン化とを図ることができる。
【００１０】
また、フレーム部と上下シェル部とが一体に構成されているので、位置決め精度が緩和され、得率の安定性が向上する効果もある。
【００１１】
さらに、分解が容易になり、環境対応が図れるとともに、ディスクカートリッジのコストも低減することができる。さらには、上下シェル部の樹脂化による防錆効果の向上と軽量化を図ることができる利点もある。
【００１２】
【発明の実施の形態】
以下、本発明の実施の形態について、図面を参照して詳細に説明する。
【００１３】
図１は、本発明によるディスクカートリッジの実施の形態を図４に対応させて示す斜視図、図２は上下シェル部を開いた状態のハウジングを示す斜視図、図３（ａ）は組立て状態のハウジングの概略的側面図、図３（ｂ）は、上下シェル部を開いた状態のハウジングの概略的側面図である。なお、図３においては、理解を容易にするために、寸法比を実際とは変えて示してある。
【００１４】
図から明らかなように、本実施の形態の磁気ディスクカートリッジ１０においては、磁気ディスク（図示は省略）を回転自在に収容するハウジング１１は、フレーム部１２と、このフレーム部１２にそれぞれの基端をヒンジ部１５および１８を介して開閉可能に結合された、フレーム部１２と一体の上下シェル部１３，１４とによって構成されている。上下シェル部１３，１４は、ドライブ装置が備えている記録再生ヘッドを磁気ディスク表面にアクセスさせるための開口１６を備え、かつこの開口１６を開閉する金属製ロータリーシャッタ１７を回転可能に軸支している。ハウジング１１のフレーム部１２、上下シェル部１３，１４およびヒンジ部１５，１８は例えばポリプロピレン樹脂によって一体に形成され、かつヒンジ部１５，１８は薄肉部によって構成されている。
【００１５】
そして、ハウジング１１の内部に、磁気ディスクおよびロータリーシャッタ１７を収容した後、上シェル部１３の側壁のエッジ１３ａと、下シェル部１４の側壁のエッジ１４ａとが、超音波溶着によって結合されて、磁気ディスクカートリッジ１０が組み立てられる。
【００１６】
以上の説明で明らかなように、本実施の形態によれば、ディスクカートリッジ１０のハウジング１１のフレーム部１２と、上下シェル部１３，１４と、上下シェル部１３，１４をフレーム１２にそれぞれヒンジ結合するヒンジ部１５，１８とが、すべて合成樹脂で一体に形成されていることにより、従来のこの種のディスクカートリッジの組立てに必要とされた溶接工程を省略することができる。したがって、溶接作業に伴うスパッタ屑等が発生しないので、ディスクカートリッジの品質向上と、組立て作業環境のクリーン化とを図ることができる。
【００１７】
また、フレーム部１２と上下シェル部１３，１４とがヒンジ部１５，１８を介して一体に構成されているので、位置決め精度が緩和され、得率の安定性が向上する効果もある。
【００１８】
さらに、ハウジング１１の分解が容易になり、環境対応が図れるとともに、ディスクカートリッジのコストも低減することができ、さらには、上下シェル部１３，１４の樹脂化による防錆効果の向上と軽量化を図ることができる利点もある。
【図面の簡単な説明】
【図１】本発明によるディスクカートリッジの実施の形態を示す斜視図
【図２】図１のディスクカートリッジの上下シェル部を開いた状態のハウジングを示す斜視図
【図３】図３（ａ）は組立て状態のハウジングの概略的側面図、図３（ｂ）は、上下シェル部を開いた状態のハウジングの概略的側面図
【図４】従来のディスクカートリッジの斜視図
【符号の説明】
１０　　ディスクカートリッジ
１１　　ハウジング
１２　　フレーム部
１３　　上シェル部
１４　　下シェル部
１５，１８　　ヒンジ部
１６　　開口
１７　　ロータリーシャッタ
【図１】
2004139629.tif 000003
【図２】
2004139629.tif 000004
【図３】
2004139629.tif 000005
【図４】
2004139629.tif 000006